(57)【要約】      （修正有）【課題】所定角度毎の仰角を簡単かつ精度良く設定し、さらには部品点数をなるべく減少させる。【解決手段】電柱等の支柱７に取り付けられる基部金具１と、基部金具１に取付けられると共に、アンテナ３が固定される調整部金具２とを上下２箇所それぞれに上側金具Ｕおよび下側金具Ｄとして配置する。調整部金具２には、下側金具Ｄとして使用した際、上側金具Ｕの角度設定ボルト孔を中心として取付け間隔を半径とする円周上の所定角度ずつずらした位置に複数の角度設定ボルト孔が並べられた下側金具用角度設定ボルト孔列と、上側金具Ｕとして使用した際、下側金具Ｄの角度設定ボルト孔を中心として取付け間隔をほぼ半径とする円周上の所定角度ずつずらした位置に複数の角度設定ボルト孔が並べられた上側金具用角度設定ボルト孔列とを形成する。【選択図】図１
2011071618.tif 000002
【特許請求の範囲】
【請求項１】
電柱等の支柱における所定間隔を空けた上下２箇所の少なくとも一方に上側金具または下側金具として設けられ、前記支柱に対しアンテナの仰角を所定角度ずつずらし取付けるアンテナ用チルト金具であって、
調整部金具と、基部金具と、からなり、
前記調整部金具には、
前記下側金具として使用した際、前記上側金具の回転中心を中心とした前記所定間隔をほぼ半径とする円周上の所定角度ずつずらした位置に、前記下側金具用の複数の角度設定ボルト孔が並べられた下側金具用角度設定ボルト孔列が形成されていると共に、前記上側金具として使用した際、前記下側金具の回転中心を中心として前記所定間隔をほぼ半径とする円周上の所定角度ずつずらした位置に、前記上側金具用の複数の角度設定ボルト孔が並べられた上側金具用角度設定ボルト孔列が形成されている一方、
前記基部金具には、
前記調整部金具の前記下側金具用角度設定ボルト孔列および前記上側金具用角度設定ボルト孔列にボルトにより連結される連結ボルト孔が形成されている、アンテナ用チルト金具。
【請求項２】
請求項１記載のアンテナ用チルト金具において、
前記調整部金具と前記基部金具との２組を、上側金具および下側金具として使用する、アンテナ用チルト金具。
【請求項３】
請求項１または請求項２記載のアンテナ用チルト金具において、
前記下側金具用角度設定ボルト孔列と、前記上側金具用角度設定ボルト孔列とは、基準とする０度の角度設定ボルト孔は共通とし、それぞれの所定角度毎の複数の角度設定ボルト孔は一体で形成される、アンテナ用チルト金具。
【発明の詳細な説明】
【技術分野】
【０００１】
本発明は、セクタアンテナ等のアンテナの仰角を調整して支柱に取付けるアンテナ用チルト金具に関する。
【背景技術】
【０００２】
例えば、アンテナ支持体の上部と下部に所定の間隔をあけて下部支持部材及び上部支持部材を取付け、下部支持部材には回動支持機構を設けて、アンテナの下部側を回動可能に支持する一方、上部支持部材には仰角調整機構を設け、アンテナ上部を支持し、アンテナの仰角を調整するようにしたアンテナ用チルト金具がある（例えば、特許文献１参照。）。
【先行技術文献】
【特許文献】
【０００３】
【特許文献１】特開２００２−２２３１０６号公報
【発明の概要】
【発明が解決しようとする課題】
【０００４】
しかし、上記アンテナ用チルト金具では、仰角調整機構が無段階で仰角を調整するため、所定角度毎の仰角を設定する場合には、精度が劣る、という課題があった。
【０００５】
また、上記アンテナ用チルト金具では、上側金具および下側金具として異なる機構、すなわち下側金具として回動支持機構、上側金具として仰角調整機構を設ける必要があるため、部品点数が増える、という課題もあった。
【０００６】
そこで、本発明は、所定角度毎の仰角を簡単かつ精度良く設定することができ、さらには部品点数をなるべく減少させることができる、アンテナ用チルト金具を提供することを目的とする。
【課題を解決するための手段】
【０００７】
上記課題を解決するため、本発明のアンテナ用チルト金具は、電柱等の支柱における所定間隔を空けた上下２箇所の少なくとも一方に上側金具または下側金具として設けられ、前記支柱に対しアンテナの仰角を所定角度ずつずらし取付けるアンテナ用チルト金具であって、調整部金具と、基部金具と、からなり、前記調整部金具には、前記下側金具として使用した際、前記上側金具の回転中心を中心とした前記所定間隔をほぼ半径とする円周上の所定角度ずつずらした位置に、前記下側金具用の複数の角度設定ボルト孔が並べられた下側金具用角度設定ボルト孔列が形成されていると共に、前記上側金具として使用した際、前記下側金具の回転中心を中心として前記所定間隔をほぼ半径とする円周上の所定角度ずつずらした位置に、前記上側金具用の複数の角度設定ボルト孔が並べられた上側金具用角度設定ボルト孔列が形成されている一方、前記基部金具には、前記調整部金具の前記下側金具用角度設定ボルト孔列および前記上側金具用角度設定ボルト孔列にボルトにより連結される連結ボルト孔が形成されている、アンテナ用チルト金具である。
ここで、前記基部金具と、前記調整部金具と、の２組を、上側金具および下側金具として使用するようにしても良い。
また、前記下側金具用角度設定ボルト孔列と、前記上側金具用角度設定ボルト孔列とは、基準とする０度の角度設定ボルト孔は共通とし、それぞれの所定角度毎の複数の角度設定ボルト孔は一体で形成されるようにしても良い。
【発明の効果】
【０００８】
本発明のアンテナ用チルト金具は、電柱等の支柱における所定間隔を空けた上下２箇所の少なくとも一方に上側金具または下側金具として設けられ、前記支柱に対しアンテナの仰角を所定角度ずつずらし取付けるアンテナ用チルト金具であって、調整部金具と、基部金具と、からなり、前記調整部金具には、前記下側金具として使用した際、前記上側金具の回転中心を中心とした前記所定間隔をほぼ半径とする円周上の所定角度ずつずらした位置に、前記下側金具用の複数の角度設定ボルト孔が並べられた下側金具用角度設定ボルト孔列が形成されていると共に、前記上側金具として使用した際、前記下側金具の回転中心を中心として前記所定間隔をほぼ半径とする円周上の所定角度ずつずらした位置に、前記上側金具用の複数の角度設定ボルト孔が並べられた上側金具用角度設定ボルト孔列が形成されている一方、前記基部金具には、前記調整部金具の前記下側金具用角度設定ボルト孔列および前記上側金具用角度設定ボルト孔列にボルトにより連結される連結ボルト孔が形成されているので、上側金具としても、下側金具としても上下逆にせずにそのまま使用することができ、所定角度毎の仰角を簡単かつ精度良く設定することができる。
特に、前記基部金具と、前記調整部金具と、の２組を、上側金具および下側金具として使用するようにした場合、同一のアンテナ用チルト金具を上下に使用することができ、部品点数が増えず、かつ、所定角度毎の仰角を簡単かつ精度良く設定することができる。
また、前記下側金具用角度設定ボルト孔列と、前記上側金具用角度設定ボルト孔列とは、基準とする０度の角度設定ボルト孔は共通とし、それぞれの所定角度毎の複数の角度設定ボルト孔は一体で形成するようにした場合、基部金具および調整部金具の高さを抑えることができ、全体として、基部金具および調整部金具を小型化することができると共に、軽量化することができる。
【図面の簡単な説明】
【０００９】
【図１】（ａ）〜（ｃ）それぞれ、本発明のアンテナ用チルト金具の実施形態の使用態様の一例を示す全体図である。
【図２】実施形態の１組のアンテナ用チルト金具を構成する基部金具１の一例を示している。
【図３】実施形態の１組のアンテナ用チルト金具を構成する調整部金具の一例を示している。
【図４】基部金具と調整部金具とからなるアンテナ用チルト金具を上側金具として使用している基部金具と調整部金具の連結状態を示す図である。
【図５】基部金具と調整部金具とからなるアンテナ用チルト金具を下側金具として使用している基部金具と調整部金具の連結状態を示す図である。
【図６】実施形態の１組のアンテナ用チルト金具を下側金具として使用した際に仰角を所定角度に設定する場合の基部金具と調整部金具の連結状態を示す図である。
【図７】実施形態の１組のアンテナ用チルト金具を上側金具として使用した際に仰角を所定角度に設定する場合の基部金具と調整部金具の連結状態を示す図である。
【図８】調整部金具の側面に形成した下側金具用角度設定ボルト孔列と上側金具用角度設定ボルト孔列の他の例を示す側面図である。
【図９】調整部金具の側面に形成した下側金具用角度設定ボルト孔列と上側金具用角度設定ボルト孔列のさらに他の例を示す側面図である。
【図１０】調整部金具の側面に形成した下側金具用角度設定ボルト孔列と上側金具用角度設定ボルト孔列のさらに他の例を示す側面図である。
【発明を実施するための形態】
【００１０】
以下、本発明にかかるアンテナ用チルト金具の実施形態について説明する。なお、本実施形態では、本発明にかかる同一のアンテナ用チルト金具を２組利用し、上側金具Ｕおよび下側金具Ｄとして使用する場合について説明するが、本発明では、これに限らず、本発明にかかるアンテナ用チルト金具を、上側金具Ｕまたは下側金具Ｄのいずれか一方として使用し、それぞれ対応する下側金具Ｄまたは上側金具Ｕとして、本発明にかかるアンテナ用チルト金具ではなく、別の金具を使用してもよい。
【００１１】
図１（ａ）〜（ｃ）は、それぞれ、本発明のアンテナ用チルト金具の実施形態の使用態様の一例を示す全体図である。
【００１２】
図１（ａ）は、本発明のアンテナ用チルト金具の実施形態を使用し、支柱に対し−５度の仰角を設定した状態を示す図、図１（ｂ）は、本発明のアンテナ用チルト金具の実施形態を使用し、０度の仰角を設定した状態を示す図、図１（ｃ）は、本発明のアンテナ用チルト金具の実施形態を使用し、支柱に対し＋５度の仰角を設定した状態を示す図である。
【００１３】
つまり、図１（ａ）〜（ｃ）に示すように、本発明のアンテナ用チルト金具の実施形態は、アンテナ３を電柱等の支柱７に所定間隔を空けた上下２箇所で支持し、かつ、支柱７に対するアンテナ３の仰角を所定角度ずつずらし取付けるアンテナ用チルト金具である。
【００１４】
このアンテナ用チルト金具は、電柱等の支柱７に取り付けられる基部金具１と、基部金具１に取り付けられると共に、アンテナ３が固定される調整部金具２２とからなるアンテナ用チルト金具を２組、上下２箇所それぞれに上側金具Ｕおよび下側金具Ｄとして配置し、アンテナ３を支柱７に対し所定の角度毎に設定して取り付けている。
【００１５】
ここで、本実施形態では、支柱７に対するアンテナ３の仰角は、図１（ａ）〜（ｃ）に示すように、最大−５度〜＋５度まで、１度毎、すなわち１度刻みで角度を設定可能である。ただし、これは一例であり、最大−５度〜＋５度でなく、最大−１０度〜＋１０度でも、１度刻みでなく、０．５度刻み、２度刻みでも勿論よい。
【００１６】
また、本実施形態では、アンテナ３は、例えば、セクタアンテナ等の棒状のアンテナを対象にしているが、これに限定されるものではない。
【００１７】
なお、本発明および本実施例では、基部金具１および調整部金具２からなる同一のアンテナ用チルト金具１を２組用いているので、以後の説明では、１組のアンテナ用チルト金具１を構成する基部金具１および調整部金具２にて説明する。
【００１８】
図２は、１組のアンテナ用チルト金具を構成する基部金具１の一例を示している。
【００１９】
具体的には、図２（ａ）は基部金具１の外観を示す斜視図、同（ｂ）は、基部金具１を上から見た平面図、同（ｃ）は、基部金具１を左側面（図上上方）から見た左側面図、同（ｄ）は、基部金具１を後方（図上右方向）から見た後面図である。なお、基部金具１を右側面（図上下方）から見た右側面図と、基部金具１を前方（図上左方向）から見た前面図は、それぞれ、図２（ｃ），（ｄ）と同じであるので、省略する。
【００２０】
図２から明らかなように、基部金具１は、断面コ字状の金具であり、底面１１と、両側面２２ａ，２２ｂとを有している。
【００２１】
基部金具１の底面１１には、図２（ａ），（ｂ）に示すように、支柱７側の取付金具に任意の方位角で取り付けるため、支柱７側の金具先端とボルト締めされる回転中心孔１１１と、回転中心孔１１１を中心とする所定半径上に支柱７に対する方位角を、例えば、２０度ずつ調整するための方位角調整孔１１２ａ〜１１２ｇが７個形成されている。なお、方位角調整孔１１２ａ〜１１２ｇの２０度刻みや、７個はあくまで一例である。
【００２２】
また、基部金具１の底面１１には、図２（ａ），（ｂ）に示すように、後述する脱落防止ボルト３２１が挿通される脱落防止用大長孔１１３が形成されている。
【００２３】
また、基部金具１の両側面２２ａ，２２ｂには、図２（ａ），（ｃ）に示すように、調整部金具２とボルトにより連結するための連結ボルト孔１２ａ１，１２ｂ１が形成されている。なお、この角度設定ボルト孔１２ａ１，１２ｂ１は、後述すように、基部金具１が下側金具Ｄとして使用した際、および上側金具Ｕとして使用した際も、角度設定ボルト孔１２ａ１，１２ｂ１が回転中心となる。なお、調整部金具２と連結するためのボルトは、ネジ溝が切られていないピン等でもあっても良い。
【００２４】
図３は、１組のアンテナ用チルト金具１を構成する調整部金具２の一例を示している。
【００２５】
具体的には、図３（ａ）は調整部金具２の外観を示す斜視図、同（ｂ）は、調整部金具２を上から見た平面図、同（ｃ）は、調整部金具２を左側面（図上上方）から見た左側面図、同（ｄ）は、調整部金具２を後方（図上右方向）から見た後面図である。なお、調整部金具２を右側面（図上下方）から見た右側面図と、調整部金具２を前方（図上左方向）から見た前面図は、それぞれ、図３（ｃ），（ｄ）と同じであるので、省略する。
【００２６】
図３から明らかなように、調整部金具２は、基部金具１と同様に、断面コ字状の金具であり、底面２１と、両側面２２ａ，２２ｂとを有している。
【００２７】
調整部金具２の底面２１には、図３（ａ），（ｂ）に示すように、基部金具１の脱落防止用大長孔１１３と出合い、脱落防止ボルトが挿通される脱落防止用小長孔２１１と、重量を軽くするための開口部２１２が形成されている。なお、開口部２１２は、省略しても良いし、複数設けるようにしても、長方形状でなくても良い。
【００２８】
また、調整部金具２の両側面２２ａ，２２ｂの後端には、図３（ａ），（ｃ）に示すように、アンテナ３側に設けられたアンテナ側金具３１と連結するためのアンテナ側連結ボルト孔２２ａ１，２２ａ２、２２ｂ１，２２ｂ２が２個ずつ上下に形成されている。
【００２９】
そして、調整部金具２の両側面２２ａ，２２ｂの先端から中央には、図３（ａ），（ｃ）に示すように、図１に示すように、下側金具Ｄとして使用した際、上側金具Ｕとして使用している基部金具１の角度設定ボルト孔１２ａ１，１２ｂ１を中心として、下側金具Ｄと上側金具Ｕとの間の取付け間隔（ここでは、例えば１６８０ｍｍとする。）をほぼ半径とする円周上の所定角度ずつずらした位置に、下側金具Ｄ用の複数の角度設定ボルト孔を１度ずつずらして５度まで並べて下側金具用角度設定ボルト孔列２２ａ１０，２２ｂ１０を形成している一方、上側金具Ｕとして使用した際、下側金具Ａとして使用している基部金具１の角度設定ボルト孔１２ａ１，１２ｂ１を中心として、上記取付け間隔をほぼ半径とする円周上の所定角度ずつずらした位置に、上側金具Ｕ用の複数の角度設定ボルト孔を１度ずつずらして５度まで並べた上側金具用角度設定ボルト孔列２２ａ２０，２２ｂ２０が形成されている。
【００３０】
ただし、本実施形態の場合、図３（ａ），（ｃ）に示すように（ここでは、右側面２２ｂのみ図示しているが、左側面２２ａも同様である。）、下側金具用角度設定ボルト孔列２２ａ１０，２２ｂ１０と、上側金具用角度設定ボルト孔列２２ａ２０，２２ｂ２０とは、基準とする０度の角度設定ボルト孔２２ａ３，２２ｂ３は共通としているので、下側金具用角度設定ボルト孔列２２ａ１０，２２ｂ１０と、上側金具用角度設定ボルト孔列２２ａ２０，２２ｂ２０とは、重なって、すなわち繋がって一体で形成された複数の角度設定ボルト孔２２ａ３〜２２ａ８，２２ｂ３〜２２ｂ８より構成されている。
【００３１】
つまり、本実施形態では、調整部金具２の右側面１２ｂには、図３（ａ），（ｃ）に示すように、下側金具用角度設定ボルト孔列２２ｂ１０および上側金具用角度設定ボルト孔列２２ｂ２０の双方として機能する±５度調整用の複数の角度設定ボルト孔２２ｂ３〜２２ｂ８が形成されている一方、左側面１２ａには、図３（ａ）に示すように、下側金具用角度設定ボルト孔列２２ａ１０および上側金具用角度設定ボルト孔列２２ａ２０の双方として機能する±５度調整用の複数の角度設定ボルト孔２２ａ３〜２２ａ８が形成されている。
【００３２】
このため。これら角度設定ボルト孔２２ａ３〜２２ａ８，２２ｂ３〜２２ｂ８は、図（ａ），（ｃ）から明らかなように、０度の角度設定ボルト孔２２ａ３，２２ｂ３は、ほぼ真円だが、下側金具用角度設定ボルト孔列２２ａ１０，２２ｂ１０および上側金具用角度設定ボルト孔列２２ａ２０，２２ｂ２０の双方として機能するため、±１度、±２度、±３度、±４度、±５度と１度ずつ増減していく毎に、角度設定ボルト孔２２ｂ４〜２２ｂ８、２２ａ４〜２２ａ８は、図上、上下に拡がった形状になっている。
【００３３】
図４（ａ）〜（ｃ）は、基部金具１と調整部金具２とからなるアンテナ用チルト金具を上側金具Ｕとして使用している基部金具１と調整部金具２の連結状態を示す図である。
【００３４】
具体的には、図４（ａ）は、基部金具１と調整部金具２の連結状態を上から見た平面図、同（ｂ）は、その連結状態を左側面（図上上方）から見た左側面図、同（ｃ）は、その連結状態を後方（図上右方向）から見た後面図である。なお、その連結状態を右側面（図上下方）から見た右側面図と、前方（図上左方向）から見た前面図は、それぞれ、図４（ｂ），（ｃ）と同じであるので、省略する。
【００３５】
ここで、基部金具１と調整部金具２との連結は、連結ボルト３２ａ３，３２ｂ３により行われている一方、調整部金具２とアンテナ側金具３１（図１参照）との接続は、連結ボルト３２ａ１，３２ａ２，３２ｂ１，３２ｂ２により行っている。
【００３６】
そして、基部金具１と調整部金具２とを上側金具Ｕとして使用する場合、アンテナ３の脱落を防止する脱落防止ボルト３２１を取り付けている。ここで、脱落防止ボルト３２１は、図４（ｂ），（ｃ）に示すように、基部金具１と調整部金具２とを完全に締め付けないで、上下に余裕を持たせている。
【００３７】
図５（ａ）〜（ｃ）は、基部金具１と調整部金具２とからなるアンテナ用チルト金具を下側金具Ｄとして使用している基部金具１と調整部金具２の連結状態を示す図である。
【００３８】
具体的には、図５（ａ）は、基部金具１と調整部金具２の連結状態を上から見た平面図、同（ｂ）は、その連結状態を左側面（図上上方）から見た左側面図、同（ｃ）は、その連結状態を後方（図上右方向）から見た後面図である。なお、その連結状態を右側面（図上下方）から見た右側面図と、前方（図上左方向）から見た前面図は、それぞれ、図５（ｂ），（ｃ）と同じであるので、省略する。
【００３９】
ここで、基部金具１と調整部金具２との連結は、図４に示す上側金具Ｕとして使用する場合とほぼ同様であるが、下側金具Ｄとして使用する場合には、脱落防止ボルト３２１を省略している。勿論、下側金具Ｄとして使用する場合にも、脱落防止ボルト３２１を使用しても勿論よい。
【００４０】
図６は、図１（ａ）に示すように１組のアンテナ用チルト金具を下側金具Ｄとして使用した際に仰角を所定角度に設定する場合の基部金具１と調整部金具２の連結状態を示す図である。
【００４１】
具体的には、図６（ａ）は−１度で角度設定ボルト孔２２ｂ４を使用しており、図６（ｂ）は−２度で角度設定ボルト孔２２ｂ５を使用し、図６（ｃ）は−３度で角度設定ボルト孔２２ｂ６を使用し、図６（ｄ）は−４度で角度設定ボルト孔２２ｂ７を使用し、図６（ｅ）は−５度で角度設定ボルト孔２２ｂ８を使用することにより、−１度〜―５度の１度刻みの仰角を設定している。
【００４２】
つまり、図１（ａ）に示すように１組のアンテナ用チルト金具を下側金具Ｄとして使用する場合、図６に示すように、角度設定ボルト孔２２ｂ３〜２２ｂ８の上側を利用した下側金具用角度設定ボルト孔列２２ｂ１０を使用することになる。
【００４３】
図７は、図１（ｃ）に示すように１組のアンテナ用チルト金具を上側金具Ｕとして使用した際に仰角を所定角度に設定する場合の基部金具１と調整部金具２の連結状態を示す図である。
【００４４】
具体的には、図６（ａ）は＋１度で角度設定ボルト孔２２ｂ４を使用しており、図６（ｂ）は＋２度で角度設定ボルト孔２２ｂ５を使用し、図６（ｃ）は＋３度で角度設定ボルト孔２２ｂ６を使用し、図６（ｄ）は＋４度で角度設定ボルト孔２２ｂ７を使用し、図６（ｅ）で角度設定ボルト孔２２ｂ８を使用することにより、＋１度〜＋５度の１度刻みの仰角を設定している。
【００４５】
つまり、図１（ｃ）に示すように１組のアンテナ用チルト金具を上側金具Ｕとして使用する場合、図７に示すように、角度設定ボルト孔２２ｂ３〜２２ｂ８の下側を利用した上側金具用角度設定ボルト孔列２２ｂ２０を使用することになる。
【００４６】
従って、本実施形態のアンテナ用チルト金具は、電柱等の支柱７に取り付けられる基部金具１と、基部金具１に取り付けられると共に、アンテナ３が固定される調整部金具２と、からなるアンテナ用チルト金具を上下２箇所それぞれに上側金具Ｕおよび下側金具Ｄとして配置し、基部金具１には、調整部金具２をボルトにより連結するための連結ボルト孔１２ａ１，１２ｂ１が形成されている一方、調整部金具２には、下側金具Ｄとして使用した際、上側金具Ｕの角度設定ボルト孔を中心として、下側金具Ｄと上側金具Ｕとの間の取付け間隔をほぼ半径とする円周上の所定角度ずつずらした位置に、下側金具Ｄ用の複数の角度設定ボルト孔が並べられた下側金具用角度設定ボルト孔列２２ａ１０，２２ｂ１０が形成されている一方、上側金具Ｕとして使用した際、下側金具Ｄの角度設定ボルト孔を中心とし取付け間隔をほぼ半径とする円周上の所定角度ずつずらした位置に、上側金具Ｕ用の複数の角度設定ボルト孔が並べられた上側金具用角度設定ボルト孔列２２ａ２０，２２ｂ２０が形成されているので、上下２箇所でアンテナ３を支持する場合でも、同一の基部金具１と調整部金具２からなるアンテナ用チルト金具を上側金具Ｕとしても、下側金具Ｄとしても上下逆にせずにそのまま使用することができ、部品点数が増えず、かつ、所定角度毎の仰角を簡単かつ精度良く設定することができる。
【００４７】
特に、本実施形態では、下側金具用角度設定ボルト孔列２２ａ１０，２２ｂ１０と、上側金具用角度設定ボルト孔列２２ａ２０，２２ｂ２０とは、基準とする０度の角度設定ボルト孔２２ａ３，２２ｂ３は共通とし、所定角度毎の複数の角度設定ボルト孔は一体にした角度設定ボルト孔２２ａ３〜２２ａ８，２２ｂ３〜２２ｂ８を形成したので、調整部金具２の側面２２ａ１，２２ｂの高さを抑えることができ、全体として、基部金具１および調整部金具２を小型化することができると共に、軽量化することができる。
【００４８】
なお、上記実施形態の説明では、本発明にかかる同一のアンテナ用チルト金具を２組利用し、上側金具Ｕおよび下側金具Ｄとして使用する場合について説明したが、本発明では、これに限らず、本発明にかかるアンテナ用チルト金具を、上側金具Ｕまたは下側金具Ｄのいずれか一方として使用し、その際、それぞれ対応する下側金具Ｄまたは上側金具Ｕとしては、本発明にかかるアンテナ用チルト金具ではなく、別の金具を使用しても勿論よい。
【００４９】
また、本実施形態の説明では、アンテナ３側に調整部金具２を設ける一方、支柱７側に基部金具１を設けて説明したが、本発明では、これに限らず、アンテナ３側に基部金具１を設ける一方、支柱７側に調整部金具２を設けるようにしても勿論よい。
【００５０】
また、上記実施形態の説明では、図３等に示すように、調整部金具２の側面２２ａ，２２ｂに設ける下側金具用角度設定ボルト孔列２２ａ１０，２２ｂ１０と上側金具用角度設定ボルト孔列２２ａ２０，２２ｂ２０とを一体形成し、調整部金具２の先端に行くほど孔幅が拡がる角度設定ボルト孔２２ａ３〜２２ａ８，２２ｂ３〜２２ｂ８により説明したが、本発明では、これに限らず、例えば、図８に示す左側面４２ｂのように、調整部金具２の基部に行くほど孔の長さが拡がる角度設定ボルト孔４２ｂ３〜４２ｂ８や、図９や図１０の左側面５２ｂ，６２ｂのように、上側角度設定ボルト５２ｂ３２〜５２ｂ８３，６２ｂ３２〜６２ｂ８３と、下側角度設定ボルト孔５２ｂ３１〜５２ｂ８１，６２ｂ３１〜６２ｂ８１とを独立して設け、下側金具用角度設定ボルト孔列５２ｂ１０，６２ｂ１０、上側金具用角度設定ボルト孔列５２ｂ２０，６２ｂ２０を形成するようにしても勿論よい。
【符号の説明】
【００５１】
１  基部金具
１２ａ１，１２ａｂ１  連結ボルト孔
２  調整部金具
２２ａ３〜２２ａ８，２２ｂ３〜２２ｂ８  角度設定ボルト孔
２２ａ１０，２２ｂ１０  下側金具用角度設定ボルト孔列
２２ａ２０，２２ｂ２０  上側金具用角度設定ボルト孔列
３  アンテナ
７  支柱
【図１】
2011071618.tif 000003
【図２】
2011071618.tif 000004
【図３】
2011071618.tif 000005
【図４】
2011071618.tif 000006
【図５】
2011071618.tif 000007
【図６】
2011071618.tif 000008
【図７】
2011071618.tif 000009
【図８】
2011071618.tif 000010
【図９】
2011071618.tif 000011
【図１０】
2011071618.tif 000012